(57)【特許請求の範囲】
【請求項１】
鉄筋コンクリート部材を定着部に接合する鉄筋コンクリート部材の接合構造であって、上記鉄筋コンクリート部材内の主筋と上記定着部内の主筋との間に、両者を接続する取替鉄筋を着脱可能に設けた鉄筋コンクリート部材の接合構造において、
上記取替鉄筋は、上記鉄筋コンクリート部材の外面に形成された溝内に設けられており、上記鉄筋コンクリート部材における上記取替鉄筋が取り付けられる部分の外面にはカバー板が装着され、該カバー板はモルタル又はコンクリートで固定されていることを特徴とする鉄筋コンクリート部材の接合構造。
【請求項２】
鉄筋コンクリート部材を定着部に接合する鉄筋コンクリート部材の接合構造であって、上記鉄筋コンクリート部材内の主筋と上記定着部内の主筋との間に、両者を接続する取替鉄筋を着脱可能に設けた鉄筋コンクリート部材の接合構造において、
上記鉄筋コンクリート部材内の主筋と上記定着部内の主筋の互いに対向するそれぞれの端部にアタッチメントが固着されており、該アタッチメントに、上記取替鉄筋の両端部のそれぞれが着脱可能に取り付けられており、
上記取替鉄筋は、上記鉄筋コンクリート部材の外面に形成された溝内に設けられており、上記鉄筋コンクリート部材における上記取替鉄筋が取り付けられる部分の外面にはカバー板が装着され、該カバー板はモルタル又はコンクリートで固定されていることを特徴とする鉄筋コンクリート部材の接合構造。
【請求項３】
上記取替鉄筋に沿って付着補助筋を配置したことを特徴とする請求項１又は２記載の鉄筋コンクリート部材の接合構造。
【請求項４】
鉄筋コンクリート部材を定着部に接合する鉄筋コンクリート部材の接合構造における、上記鉄筋コンクリート部材内の主筋と上記定着部内の主筋とを接続するアタッチメント及び取替鉄筋であって、
上記アタッチメントは、上記鉄筋コンクリート部材内の主筋と上記定着部内の主筋の互いに対向するそれぞれの端部に固着され、
上記取替鉄筋は、その両端の端部がそれぞれ上記アタッチメントに装着され、
上記アタッチメントは、一面が開口し、底部にＵ型の孔が形成された箱状をしており、上記取替鉄筋は、鉄筋本体と上下のヘッドから成り、上記鉄筋本体は上記Ｕ型の孔に挿通され、上記ヘッドは上記アタッチメント内に挿入されるものであることを特徴とするアタッチメント及び取替鉄筋。
【発明の詳細な説明】
【０００１】
【発明の属する技術分野】
本発明は、例えば、建築構造物における鉄筋コンクリートの柱を基礎部に起立させる接合構造のような、鉄筋コンクリート構造物における柱や梁等の鉄筋コンクリート部材と定着部との接合構造に関し、さらにこの接合構造で使用されるアタッチメント及び取替鉄筋に関する。
【０００２】
【従来の技術】
近年、マンション等の建築構造物の普及がめざましいが、それとともに、その老朽化による建て替え寿命、地震に対する有効な対策等が問題となっており、いろいろな観点から検討されている。建築構造物の強度面では、柱や梁等の材料や強度の問題に加えて、材料レベルの接合、部材レベルの接合、構造物レベルの接合等の検討が不可欠であり、これらの接合技術が建築構造物の性能を支配する場合が多い。
【０００３】
この中で、構造物レベルの接合には、柱や梁等の構造部材同士の連結、あるいは構造部材と定着部との接合がある。本明細書では、定着部とは、基礎部や地盤等を言う。図７（ａ）は、従来の鉄筋コンクリートの柱を定着部に接合する接合構造の一例を示している。この鉄筋コンクリートの柱３５は、垂直方向に延設された複数の主筋（柱主筋）３６と帯筋（水平面内で巻き付けられた筋）３７とからなる鉄筋で強化されている。このような従来の鉄筋コンクリートの柱３５では、主筋３６が柱３５から定着部３８まで延ばされており、定着部３８に打設されたコンクリート３９内に埋設されている。
【０００４】
【発明が解決しようとする課題】
ところで、鉄筋コンクリート構造物における柱や梁等の鉄筋コンクリート部材は、コンクリートと鉄筋との複合部材であるが、鉄筋は、主に引張力に対してその靱性を発揮し、コンクリートは圧縮力を支持する。
【０００５】
しかしながら、例えば定着部３８に起立した建築構造物の柱３５等では、地震その他いろいろな原因で水平力を受けると、図７（ｂ）に示すように、この柱３５の下部の主筋３６及びコンクリート４０に集中的に曲げモーメントと剪断力がかかり、損傷を生じやすい。
【０００６】
従来、この部分に損傷が生じると、建築構造物全体の強度及び剛性の低減に少なからず影響し、この部分に関する大がかりな補修工事や、場合によっては建て替えしなくてはならない。
【０００７】
本発明は、このような従来の問題点を解決することを目的とするものであり、鉄筋コンクリート構造物の老朽化に伴い接合部に繰り返し曲げモーメントや剪断力が作用したり、あるいは地震等で集中的に曲げモーメントや剪断力が作用したりした結果、部材端部が損傷しても、簡単にメインテナンス及び補修工事が可能な鉄筋コンクリートの接合構造を実現することを課題とするものである。なお、通常鉄筋コンクリート部材と基礎部等の定着部との「接合部」は、鉄筋コンクリート部材と定着部との境界部を言うが、本発明の接合部は、後述する鉄筋コンクリート部材の接合構造の部分を言うものとする。
【０００８】
【課題を解決するための手段】
本発明は上記課題を解決するために、鉄筋コンクリート部材を定着部に接合する鉄筋コンクリート部材の接合構造であって、上記鉄筋コンクリート部材内の主筋と上記定着部内の主筋との間に、両者を接続する取替鉄筋を着脱可能に設けたことを特徴とする鉄筋コンクリート部材の接合構造を提供する。
【０００９】
上記鉄筋コンクリート部材内の主筋と上記定着部内の主筋の互いに対向するそれぞれの端部にアタッチメントが固着されており、該アタッチメントに、上記取替鉄筋の両端部のそれぞれが着脱可能に取り付けられている構成としてもよい。
【００１０】
上記取替鉄筋は、上記鉄筋コンクリート部材の外面に形成された溝内に設けられており、上記鉄筋コンクリート部材における上記取替鉄筋が取り付けられる部分の外面にはカバー板が装着され、該カバー板はモルタル又はコンクリートで固定されている構成としてもよい。
【００１１】
本発明は上記課題を解決するために鉄筋コンクリート部材を定着部に接合する鉄筋コンクリート部材の接合構造における、上記鉄筋コンクリート部材内の主筋と上記定着部内の主筋とを接続するアタッチメント及び取替鉄筋であって、上記アタッチメントは、上記鉄筋コンクリート部材内の主筋と上記定着部内の主筋の互いに対向するそれぞれの端部に固着され、上記取替鉄筋は、その両端の端部がそれぞれ上記アタッチメントに装着されることを特徴とするアタッチメント及び取替鉄筋を提供する。
【００１２】
上記アタッチメントは、一面が開口し、底部にＵ型の孔が形成された箱状をしており、上記取り替鉄筋は、鉄筋本体と上下のヘッドから成り、上記鉄筋本体は上記Ｕ型の孔に挿通され、上記ヘッドは上記アタッチメント内に挿入されるものであることを特徴とする。
【００１３】
【発明の実施の形態】
本発明に係る鉄筋コンクリート部材の接合構造並びにこの接合構造に使用されるアタッチメント及び取替鉄筋に関する実施の形態を実施例に基づいて図面を参照して、以下に説明する。
【００１４】
図１は、本発明に係る鉄筋コンクリート部材の接合構造の概要を、鉄筋コンクリート部材として鉄筋コンクリートの柱１を例として、これを定着部２に起立するように接合する接合構造３で説明する図である。この鉄筋コンクリートの柱１は、通常の鉄筋コンクリートの柱と同様に主筋４や帯筋等（図示は省略する。）の鉄筋で補強されている。
【００１５】
この鉄筋コンクリート部材の接合構造３において、鉄筋コンクリートの柱１に埋設された主筋（「上部主筋」という。）４の下端にアタッチメント６が固定されており、定着部３に埋設された主筋（これを「下部主筋」という）５の上端にアタッチメント７が固定されている。そして、この二つのアタッチメント６、７の間に取替鉄筋８が着脱可能に装着されている。
【００１６】
アタッチメント６、７及び取替鉄筋８の構造は、それぞれいろいろな構造が考えられるが、図１の例では、アタッチメント６、７をほぼ箱状とし、一方、取替鉄筋８の上下にヘッド９を設けて、このヘッド９をアタッチメント６、７に側方から挿入して装着し、かつ取り外し可能な構造とする。
【００１７】
このような構造の鉄筋コンクリート部材の接合構造３によれば、柱１が定着部２に接合している接合構造３に、繰り返し曲げモーメントや剪断力が作用して取替鉄筋８が疲労したり、取替鉄筋８が損傷しても、比較的簡単に新しい別の取替鉄筋８と取り替えることができる。従って、鉄筋コンクリート部材の接合構造３は、長年、使用しても、所定の接合強度を保持することができ、建築構造物の継続使用を可能とする。
【００１８】
（実施例）
図２〜６は、本発明に係る実施例の構成を示す図であり、図２は、本発明に係る鉄筋コンクリート部材の接合構造３に使用されるアタッチメント６、７及び取替鉄筋８の構造を説明する図である。図２（ａ）は、取替鉄筋８及びそのＡ−Ａ断面図を示している。この取替鉄筋８は、鉄筋本体１０と上下のヘッド９とから形成されている。
【００１９】
鉄筋本体１０は、建築構造物の鉄筋コンクリートの柱１及び定着部２に使用される主筋４、５と同じ断面構造、太さ及び材料としてもよいし、異なる断面構造、太さ又は材料としてもよい。上下のヘッド９は、鉄筋本体１０より断面積の大きな矩形の駒状に形成されており、鉄筋本体１０と一体に形成されている。
【００２０】
なお、図示はしないが、鉄筋本体１０は、鉄筋本体１０と上下のヘッド９を別体として互いに溶着して構成してもよいし、鉄筋本体１０の上下に雄ネジを形成し、上下のヘッド９に雌ネジを形成し、鉄筋本体１０に上下のヘッドを螺着する構成としてもよい。この場合も螺着部は溶着し緩み止めをするとよい。
【００２１】
実際の取替鉄筋８に使用に際しては、図２（ｂ）にそのＢ−Ｂ断面図とともに示すように、取替鉄筋８の鉄筋本体１０を保護カバー（又は保護筒）１１で覆って使用する。保護カバー１１は、耐腐食性を有するプラスチックや金属材料等で製造される。あるいは、これらの材料から形成された平板を、鉄筋本体１０に巻き付けてその端縁を互いに熱融着して筒状に形成して取り付けてもよい。鉄筋本体１０と上下のヘッド９が別体の場合は、保護カバー１１に鉄筋本体１０を挿入してからヘッド９を取り付けてもよい。
【００２２】
本発明に係る取替鉄筋８の特徴の一つは、保護カバー１１で保護され、周囲のコンクリート等（後述する先打ちコンクリート２４や充填されるモルタル等）との付着がなく、コンクリート等とは独立して伸縮することが可能であるから、特にコンクリート部材（実施例中のコンクリートの柱１）のコンクリートに損傷が生じにくくなる。
【００２３】
図２（ｃ）はアタッチメント６の斜視図を示し、図２（ｄ）はアタッチメント６の正面、側面及び底面を夫々示す図である。このアタッチメント６は、内部に空間を有するほぼ箱状をしており、左右の側面壁１２、背面壁１３、頂面壁１４及び底面壁１５とを有し、正面は開口１６が形成されている。
【００２４】
アタッチメント７は、アタッチメント６と全く同じ構造であり、アタッチメント６は、上部主筋４の下端に固定するので、図２（ｃ）に示す状態であるが、アタッチメント７は、下部主筋５の上端に固定するので、図２（ｃ）とは上下方向が逆の状態となり（図３（ａ）参照）、頂面壁１４が下方に、底面壁１５が上方に位置する。
【００２５】
頂面壁１４には、雌ネジ孔１７が形成されており、上部主筋４の下端及び下部主筋５の上端に形成された雄ネジ１８に螺着することができるように形成されている。なお、図示はしないが、頂面壁１４に上部主筋４又は下部主筋５を固定する構造として、頂面壁１４に直接溶着してもよいし、あるいは、上部主筋４とアタッチメント６とを、そして下部主筋４とアタッチメント７とを、それぞれ一体的な構造としてもよい。
【００２６】
アタッチメント６の底面壁１５には、正面側に開口し、横幅が取替鉄筋８の鉄筋本体１０より若干大きな寸法を有する、ほぼＵ形の孔１９が形成されている。Ｕ形の孔１９の下面には、下方に突出したガイド縁２０が形成されている。
【００２７】
図３は、使用時における上下部主筋４、５とアタッチメント６、７の固定構造を示すとともに、保護カバー１１で被覆された取替鉄筋８をアタッチメント６、７間にセットした際の構造を示す図である。図３（ａ）は、上下部主筋４、５に上下のアタッチメント６、７を螺着して固定した状態を示す斜視図である。
【００２８】
図３（ｂ）は、上下部主筋４、５に固定された上下のアタッチメント６、７の間に、取替鉄筋８を装着した状態を示す斜視図であり、図３（ｃ）はその正面図である。図３（ｄ）は、図３（ｃ）のＡ−Ａ断面図を示す。取替鉄筋８の上下のヘッド９を、上下のアタッチメント６、７内に正面の開口１６から挿入し、取替鉄筋８の鉄筋本体１０は、ガイド縁２０にガイドされてＵ形の孔１９内に挿通することにより、取替鉄筋８が着脱可能に装着される。
【００２９】
図４〜６は、以上説明したアタッチメント６及び取替鉄筋８を使用した本発明に係る鉄筋コンクリート部材の接合構造の実施例であり、建築構造物の鉄筋コンクリートの柱１を定着部（基礎部等）２に起立して固定するための鉄筋コンクリート部材の接合構造を説明する図である。図４は、鉄筋コンクリートの柱１が定着部２に起立した鉄筋コンクリート部材の接合構造２１の断面図を示し、この図４のＡ−Ａ断面を図５（ａ）に示し、Ｂ−Ｂ断面を図５（ｂ）に示す。図６は、図４の要部拡大図を示す。
【００３０】
図４に示すように、上部主筋４及び下部主筋５は、その下端、上端にアタッチメント６、７を螺着された状態で、柱１のコーナー部２２及び柱１の辺の中点部２３に配置され、先打ちコンクリート２４及び定着部２内に埋設されている。上部主筋４が先打ちコンクリート２４内に埋設されている状態は、図６で明示されている。なお、このような上部主筋４及び下部主筋５を配置する位置は、この実施例では、柱１のコーナー部２２及び柱１の辺の中点部２３の位置としたが、このような位置でなくても、柱１（鉄筋コンクリート部材）の周辺であればその他の位置でもよい。
【００３１】
取替鉄筋８は、図５（ａ）、（ｂ）に示すように、柱１のコーナー部２２及び柱１の辺の中点部２３に配置された上部主鉄筋４及び下部主点筋５に対応して配置され、これらの夫々の配置位置において、上部主鉄筋４及び下部主筋５を接続する。
【００３２】
上記のように、柱１のコーナー部２２及び辺の中点部２３に配置された複数の上部主筋４の周囲を囲むように複数の帯筋２５が上下方向に一定間隔をおいて配置され、先打ちコンクリート２４内に埋設されている。なお、鉄筋コンクリートの柱１には、上部主筋４及び帯筋２５の他に、通常、剪断補強鉄筋や中子鉄筋等、各種の鉄筋が組み込まれるが、これらの鉄筋については、図示は省略する。
【００３３】
なお、この実施例では、図４に示されるように、取替鉄筋８の配置される近辺に、取替鉄筋８とは別に、複数本の付着補助筋鉄筋４１が上下方向にコンクリートの柱１の先打ちコンクリート２４内に付着し埋設されている。この付着補助筋４１は、その上端部は、取替鉄筋８よりやや上方までのび先打ちコンクリート２４に付着し埋設されており、下端部は、コンクリート柱部材２１の下端近く、正確には、定着部２内までは伸びておらず、定着部２の表面近くのやや上方まで伸びるように配置されている。
【００３４】
このように定着部２内までは伸びない付着補助筋４１を配置しているから、地震等により外部から曲げモーメントや剪断力等の力が加わった場合に、その力による変形は、付着補助筋４１の下端近くであって、鉄筋コンクリートの柱１の接合構造３の下端部の近くに集中し、鉄筋コンクリート部材の接合構造３の上方の鉄筋コンクリートの柱１の部分が損傷することが防止できる。
【００３５】
取替鉄筋８が装着される上下方向の領域では、その断面（例．図４のＡ−Ａ断面）は、先打ちコンクリート２４の断面（例．図４のＣ−Ｃ断面。なおこの断面は特に図示はしない。）より、その面積が若干は小さく、外面が、後述するカバー板２６の厚みにほぼ相当する厚みだけ、内側にへっこんでいる。
【００３６】
取替鉄筋８が装着される柱１のコーナー部２２及び辺の中点部２３の先打ちコンクリート２４の外面には、図５、６に示すように上下方向に凹溝２７が形成されている。この凹溝２７の断面積は、アタッチメント６の水平断面の面積より若干大きい。この凹溝２７内において、上部主筋４及び下部主筋５に螺着された夫々のアタッチメント６、７は、その開口１６が外側に向くようにして表出されている。
【００３７】
このように先打ちコンクリート２４内に上部主筋４及び下部主筋５が埋設されたコンクリートの柱１に取替鉄筋８が装着される。取替鉄筋８の装着は、取替鉄筋８の上下のヘッド９を、上下のアタッチメント６、８内に、それぞれの開口１６から挿入し、取替鉄筋８の鉄筋本体１０は、ガイド縁２０にガイドされてＵ形の孔１９及び凹溝２７内に挿入して行われる。
【００３８】
そして、複数の取替鉄筋８及び先打ちコンクリート２４の周囲を取り囲むように帯筋２５が組み付けられる。さらにその外側から、柱１を左右から挟み付けるようにして左右一対のカバー板２６が、柱１の上記断面積の小さいへっこんだ部分にはめ込まれるようにして装着される。このカバー板２６は、その水平断面形状が凹型であり、予め鉄筋コンクリート又は鋼材等の材料で形成されている。
【００３９】
カバー板２６の内端には傾斜面２８が形成されており、一対のカバー板２６が装着されると、図５（ａ）、（ｂ）に示されるように外側にテーパ状に拡開した開口溝２９が形成される。なお、この拡開した開口溝２９に対応した先打ちコンクリートの縁には、図６（ａ）に示すように上方に傾斜面３０が形成されており、これにより、後述するモルタルの充填作業等がしやすい。
【００４０】
図６（ａ）は、一対のカバー板２６を装着した状態を示し、図６（ｂ）はそのＡ−Ａ断面を示す。一対のカバー板２６を装着した状態では、図６（ａ）、（ｂ）で示されるように先打ちコンクリート２４とカバー板２６の間に空間３１が形成される。この空間３１、凹溝２７及び拡開した開溝２９の中に、拡開した開口溝２９及びその上方の傾斜面３０との開口部３２からモルタル（コンクリートでもよい。）３３を充填して打設する。
【００４１】
モルタル３３の打設後の状態を、図６（ｃ）及びそのＡ−Ａ断面図である図６（ｄ）に示す。モルタル３３を拡開した開口溝２９内にも打設することにより、カバー板２６はモルタル３３により柱１に固着される。この場合、拡開した開口溝２９は、テーパ状に拡開しているので、その拡開された傾斜面３０でよりモルタル３３との接触面積が多くなって、より強力に一対のカバー板２６が柱１に固着される。
【００４２】
このように固着された一対のカバー板２６及び打設された拡開した開口溝２９のモルタル３３打設面の外周囲から、さらに補強繊維材３４が巻き付けられている。繊維補強材３４は、防水や防湿等の柱１の保護を行うものであり、外部からのカバー板２６等の外面に接着剤を塗布して巻き付けながら接着してもよいし、予め繊維補強材３４の内面に接着剤を塗布しておいてもよい。このようにして、図４、５に示すような鉄筋コンクリートの柱１と定着部２との鉄筋コンクリート部材の接合構造２１が形成される。
【００４３】
以上のような構成の本発明に係る鉄筋コンクリートの柱１の接合構造２１によれば、この接合構造２１に、繰り返し曲げモーメントや剪断力が作用して取替鉄筋８が疲労したり、地震により大きな曲げモーメントや剪断力が加わり取替鉄筋８が損傷しても、新しい取替鉄筋８に取り替えることにより、長年使用しても、所定の接合強度を保持することができ、建築構造物の長年の継続使用を可能とする。
【００４４】
なお、取替鉄筋８の取替作業を行う場合は、まず補強繊維材３４を剥がして、拡開した開口溝２９等に充填したモルタル３３を破壊して除去し、一対のカバー板２６を取り外し、さらに空間３１等に充填されたモルタル３３を破壊して取り除く。そして、破損又は疲労した取替鉄筋８をアタッチメント６、７乃至凹溝２７内から取り外して、新しい取替鉄筋８に交換する。
【００４５】
以上、本発明に係る鉄筋コンクリート部材の接合構造並びにその接合構造に使用されるアタッチメント及び取替鉄筋の実施の形態を実施例に基づいて説明したが、本発明はこのような実施例に限定されるものではなく、特許請求の範囲に記載された技術的事項の範囲内でいろいろな実施の態様があることは言うまでもない。
【００４６】
例えば、アタッチメント及び取替鉄筋は、鉄筋コンクリート構造部材（柱や梁等）と定着部材、あるいは異なる鉄筋コンクリート構造部材同士を接合するために、それぞれの主筋の対向する端部を着脱可能に接続する構造であればよいのであって、アタッチメント及び取替鉄筋は、上記実施例の構造でなくてもよい。例えば、クランプ、クリップ、ねじ等の固着手段を利用して、アタッチメント及び取替鉄筋で接合できる構成としてもよい。
【００４７】
又、鉄筋コンクリート構造部材（柱や梁等）における、取替鉄筋の配置は、実施例のようにコーナー部や辺の中点等に限らず、曲げモーメントや剪断力を大きく受ける側面に集中的に配置する等、必要に応じて適宜、選択した配置でもよい。又、保護カバーを設けることなく、直接モルタルやコンクリートを打設してカバーする構成としてもよい。
【００４８】
【発明の効果】
以上説明した構成の本発明に係る鉄筋コンクリート部材の接合構造並びに該接合構造に使用されるアタッチメント及び取替鉄筋によれば、次のような効果が生じる。
【００４９】
（１）鉄筋コンクリート構造物が老朽化に伴い、接合部に繰り返し剪断力が作用したり、あるいは地震等で集中的に曲げモーメントや剪断力が作用したりした結果、接合部が損傷しても、新しい取替鉄筋をアタッチメントに装着することにより、簡単にメインテナンス及び補修工事が可能となるので、建築構造物の構造強度面での寿命を延ばすことができ、しかも地震等による被害を軽減でき、容易に復旧することができる。
【００５０】
（２）本発明に係る取替鉄筋は、周囲のコンクリート等との付着がなく、コンクリート等とは別に伸びることが可能であるから、コンクリートに損傷が生じることを抑制できる。
【００５１】
（３）本発明に係る鉄筋コンクリート部材の接合構造では、取替鉄筋とは別に、取替鉄筋に沿って付着補助筋を配置し、この付着補助筋は、一端側がコンクリート部材の先打ちコンクリート内に付着され、他端が定着部内までは伸びてはいないが定着部の表面（コンクリート柱部材の場合は接合構造の下端部）近くまで伸びるよう設けられているから、地震等により外部から剪断力等の力が加わった場合に、その力による変形は、鉄筋コンクリート部材の下端であって、取替可能な接合構造の下部に集中し、鉄筋コンクリート部材の本体側を損傷することを防止できる。
【図面の簡単な説明】
【図１】  本発明に係る鉄筋コンクリート部材の接合構造の概要を説明する図である。
【図２】  本発明に係る実施例の構成を示す図であり、本発明に係る鉄筋コンクリート部材の接合構造に使用されるアタッチメント及び取替鉄筋の構造を説明する図である。
【図３】  使用時における主筋とアタッチメントの固定構造を示すとともに、アタッチメントへの保護カバーで被覆された取替鉄筋をセットした際の構造を示す図である。
【図４】  アタッチメント及び取替鉄筋を利用した本発明に係る鉄筋コンクリート部材の接合構造の実施例であり、柱が基礎部に起立した鉄筋コンクリート部材の接合構造の断面図である。
【図５】  図４の断面図を示し、図５（ａ）はＡ−Ａ断面を示し、図５（ｂ）はＢ−Ｂ断面を示す。
【図６】  図４の要部拡大図を示す。
【図７】  従来例を示す図である。
【符号の説明】
１、３５    鉄筋コンクリートの柱
２    定着部
３    接合構造
４    上部主筋
５    下部主筋
６、７    アタッチメント
８    取替鉄筋
９    ヘッド
１０    取替鉄筋の鉄筋本体
１１    保護カバー
１２    左右の側面壁
１３    背面壁
１４    頂面壁
１５    底面壁
１６    開口
１７    雌ネジ孔
１８    雄ネジ
１９    Ｕ形の孔
２０    ガイド縁
２１    鉄筋コンクリート部材の接合構造
２２    柱のコーナー部
２３    柱の辺の中点部
２４    先打ちコンクリート
２５、３７    帯筋
２６    カバー板
２７    凹溝
２８    カバー板の内端の傾斜面
２９    拡開した開口溝
３０    傾斜面
３１    空間
３２    開口部
３３    モルタル
３４    繊維補強材
３６    主筋
３９、４０    コンクリート
４１    付着補助筋
【図１】
0003660994.tif 000002
【図２】
0003660994.tif 000003
【図３】
0003660994.tif 000004
【図４】
0003660994.tif 000005
【図５】
0003660994.tif 000006
【図６】
0003660994.tif 000007
【図７】
0003660994.tif 000008